(57)【要約】【課題】リモコン送信機で表示制御するポインタ画像が表示可能な映像表示システムにおいて、そのポインタ画像の利便性および視認性を高める。【解決手段】映像表示装置１００は、ポインタ画像２９を含むオンスクリーン表示の信号を生成するＯＳＤ（オンスクリーン）生成部１５と、表示する映像にオンスクリーン表示を合成する映像合成部１６と、合成した映像を表示する表示部２０と、操作情報を受信するリモコン受信部１９と、操作情報に基づきポインタ画像２９の制御を行う表示制御部１４とを備え、リモコン送信機３００は、操作部３１と、操作部３１の操作に応じてポインタ画像２９の表示位置を操作する操作情報およびポインタ画像２９の表示と非表示とを操作する操作情報を含む操作情報を生成する操作情報生成部３８と、操作情報を送信するリモコン送信部３９とを備える。【選択図】図１
2008020775.tif 000002
【特許請求の範囲】
【請求項１】
映像を表示する映像表示装置と、操作情報を送信することで前記映像表示装置を遠隔操作するリモコン送信機とを備えた映像表示システムであって、
前記映像表示装置は、
ポインタ画像を含むオンスクリーン表示の信号を生成するオンスクリーン生成部と、
表示する映像に前記オンスクリーン表示を合成する映像合成部と、
前記合成した映像を表示する表示部と、
前記リモコン送信機からの操作情報を受信するリモコン受信部と、
前記操作情報に基づき前記ポインタ画像の制御を行う表示制御部とを備え、
前記リモコン送信機は、
遠隔操作のための操作指示を入力する操作部と、
前記操作指示に応じて前記ポインタ画像の操作情報を生成する操作情報生成部と、
前記操作情報を送信するリモコン送信部とを備え、
前記操作情報は、前記ポインタ画像の表示位置を操作する操作情報、および前記ポインタ画像の表示と非表示とを操作する操作情報を含むことを特徴とする映像表示システム。
【請求項２】
前記表示制御部は、前記操作情報に基づき前記ポインタ画像が移動するように前記ポインタ画像の表示を制御することを特徴とする請求項１記載の映像表示システム。
【請求項３】
前記表示制御部は、前記操作情報に基づき前記ポインタ画像が移動するとともにその移動軌跡を表示するように前記ポインタ画像の表示を制御することを特徴とする請求項１記載の映像表示システム。
【請求項４】
前記表示制御部は、前記ポインタ画像の属性である表示サイズ、表示輝度および表示透過率の少なくともいずれか１つを変更させるポインタ属性制御手段を有することを特徴とする請求項１記載の映像表示システム。
【請求項５】
前記操作部は、少なくとも、前記ポインタ画像の表示位置を操作するポインティングデバイスと、前記ポインタ画像の表示と非表示とを操作するキーとを備えたことを特徴とする請求項１記載の映像表示システム。
【請求項６】
前記操作情報生成部は、前記ポインティングデバイスへの操作に応じた速度で前記ポインタ画像の表示位置を移動させる移動操作情報を生成し、
前記表示制御部は、前記移動操作情報に基づき前記ポインタ画像を移動するように前記ポインタ画像の表示を制御することを特徴とする請求項５記載の映像表示システム。
【請求項７】
リモコン送信機から送出された操作情報を受信し、前記操作情報に応じた映像を表示する映像表示装置であって、
ポインタ画像を含むオンスクリーン表示の信号を生成するオンスクリーン生成部と、
表示する映像に前記オンスクリーン表示を合成する映像合成部と、
前記合成した映像を表示する表示部と、
前記リモコン送信機からの操作情報を受信するリモコン受信部と、
前記操作情報に基づき前記ポインタ画像の制御を行う表示制御部とを備え、
前記表示制御部は、
前記操作情報に応じて前記ポインタ画像の表示位置を変更するとともに前記ポインタ画像の表示と非表示とを制御することを特徴とする映像表示装置。
【請求項８】
操作情報を送信することで映像表示装置を遠隔操作するリモコン送信機であって、
遠隔操作のための操作指示を入力する操作部と、
前記操作指示に応じてポインタ画像の操作情報を生成する操作情報生成部と、
前記操作情報を送信するリモコン送信部とを備え、
前記操作情報は、前記ポインタ画像の表示位置を操作する操作情報、および前記ポインタ画像の表示と非表示とを操作する操作情報を含むことを特徴とするリモコン送信機。
【発明の詳細な説明】
【技術分野】
【０００１】
本発明は、映像に文字や記号などのグラフィック画像をオンスクリーン表示する機能を有した映像表示装置に関し、特に、オンスクリーン表示機能を利用して、映像表示画面の任意の位置を指し示すために利用されるポインタ画像を表示する映像表示装置、ポインタ画像の表示位置などを操作するためのリモコン送信機、およびこのような映像表示装置とリモコン送信機とで構成される映像表示システムに関する。
【背景技術】
【０００２】
例えば、会議などで大画面の映像表示装置を使用してプレゼンテーションを行う場合、プレゼンテータは、別途レーザポインタのような純光学式の指示ポインタを利用する。そして、プレゼンテータは、スクリーン上あるいは映像表示装置上に表示されている図表や文字の中で、指示したい箇所を投射した光線で指し示しながら、プレゼンテーションを実施していた。
【０００３】
ところで、近年、パーソナルコンピュータ（以下、適宜、ＰＣと呼ぶ）が広く普及したことにより、ＰＣを利用して会議などを実施するようなプレゼンテーション形態も広まりつつある。このようなプレゼンテーション形態の一例として、例えば、ＰＣのモニタ映像を大画面のスクリーンなどに表示し、カーソルを指示ポインタの代用とし、指示したい箇所をカーソルで指し示しながらプレゼンテーションを行うような形態がある。なお、カーソルは、ＰＣのモニタ画面上に表示されるポインタ画像の１つであり、マウスポインタのようなポインティングデバイスと組み合わせてＰＣへの操作のために一般的に利用されている。ユーザがＰＣを利用するとき、キーボードからの操作に加えて、例えばこのようなマウスポインタを手動操作することで、ＰＣのモニタ画面上に表示されたカーソルを移動させ、所望の位置でマウスクリックすることなどによっても、ＰＣへの操作が行われる。
【０００４】
また、このようなＰＣを利用したプレゼンテーション形態において、さらに利便性を図るため、従来、民生用機器などの遠隔操作のために広く普及している通称リモコンと呼ばれるリモートコントローラを利用し、映像表示画面内のカーソル操作を含むＰＣへの操作を可能とした技術が提案されている（例えば、特許文献１参照）。
【０００５】
すなわち、例えば、映像表示側装置として液晶プロジェクタを用意し、映像供給側装置としてＰＣを用意し、これらを情報伝送コードで接続する。さらに、液晶プロジェクタにリモコン信号受光部を設け、この液晶プロジェクタ用のリモコンに、例えばトラックボール、ジョイスティックなどのポインティングデバイスを設けておく。これにより、リモコンを用いて、カーソル移動情報やクリック情報などを液晶プロジェクタに通知することが可能となる。さらに、カーソル移動情報やクリック情報を液晶プロジェクタからＰＣに送信し、このＰＣ側でカーソル座標を生成し、送信画像にカーソル画像を合成して液晶プロジェクタへ送信するような構成とする。これにより、ユーザは、表示されたスクリーン映像を見ながら、例えば手に持ったリモコンの操作で、カーソル移動やクリックなどＰＣへの操作を行うことができる。また、ユーザは、リモコンの操作でスクリーンに表示されたカーソルを移動させることができるため、スクリーン上の指示したい箇所をカーソルで指し示すことも可能となる。
【０００６】
一方、このようなカーソルを映像表示画面内に表示するとともにリモコンでカーソルの操作を行うような利用形態として、従来、テレビジョン受信機に適用した技術も提案されている（例えば、特許文献２参照）。すなわち、例えば、複数の機能を有するテレビジョン受信機において、複数の機能に対する操作メニューおよびカーソルを画面に表示するカーソル表示手段を設ける。さらに、上述のようなカーソル移動情報やクリック情報などを送信するリモコンにより、カーソル表示手段の制御や操作メニューから所望機能の選択が可能なようにテレビジョン受信機を構成する。このようなテレビジョン受信機に対し、ユーザは、リモコンからカーソルを移動させながらオンスクリーン表示された操作メニューの１つの項目を選択できるため、ユーザは、インタラクティブにテレビジョン受信機を操作できることになる。
【特許文献１】特開２００５−４９６６６号公報
【特許文献２】特開平５−３３６３９７号公報
【発明の開示】
【発明が解決しようとする課題】
【０００７】
しかしながら、上述した従来例のようなＰＣのモニタ映像上に表示されるカーソルは、ＰＣ操作において必要不可欠であるため、スクリーンセーバモードなどを除き、常時表示されていた。このため、例えば、上述のようなプレゼンテーションに、従来例のようなＰＣ操作用のカーソルを利用する場合、プレゼンテーションのための文字などを隠蔽することがあり、見づらくなるなどの不都合があった。さらに、このようなカーソルは常時表示されているため、プレゼンテーションが進行するに伴って、プレゼンテーション中の発言内容と異なった内容箇所をカーソルが指し示すような状況が生じ、視聴者に誤解や混乱を与えたりするなどの不都合もあった。
【０００８】
一方、上述した従来例のようなテレビジョン受信機に表示されるカーソルは、番組表示などの邪魔となるため、例えば所定の時間後に自動的に非表示となるように制御されていた。このため、例えば、上述のようなプレゼンテーションに、従来例のようなテレビジョン受信機に表示されるカーソルを利用する場合、ユーザの意思に反してカーソルが消えることがあり、従来例のようなテレビジョン受信機に表示されるカーソルはプレゼンテーションには不向きであった。
【０００９】
このように、従来例のようなカーソルとそのカーソルを操作するリモコンとを指示ポインタとしてプレゼンテーションなどを行うとき、指示したい箇所をプレゼンテータの意図どおりに指し示したり、逆に指し示すことを中断したりすることが的確にできない場合があり、このようなカーソルをプレゼンテーション用にも利用しようとするときその利便性に課題があった。すなわち、従来例のようなカーソルは、プレゼンテーションに利用するには使い勝手が悪い場合があった。
【００１０】
また、レーザポインタは、簡易かつ迅速に所望の箇所を指し示すことが可能であるためプレゼンテーションなどでの使い勝手は良いものの、今日、映像表示装置の大画面化および高輝度化が進んだため、このような映像表示装置に利用するにはその視認性が課題とされつつある。すなわち、映像表示装置の大型化が加速する中で、レーザポインタを使った指示ポイントでは、映像表示装置の画面全体の面積に対してレーザポインタで指す指示ポイントの面積が小さいため、レーザポインタで指し示した指示ポイントの視認性が低下する。また、近年、映像表示装置の輝度も高輝度化が進み、表示される映像の輝度が高い場合、レーザポインタで指すポイントの輝度が映像の輝度と同等もしくはそれ以下となるため、さらに視認性を落とすこととなる。
【００１１】
本発明は、上記課題を解決するためになされたものであり、プレゼンテーションのための映像を表示し、指示ポインタにより指し示しながらプレゼンテーションなどを行う場合、その利便性を高め、さらにその視認性をも高めた映像表示システム、映像表示装置およびリモコン送信機を提供することを目的とする。
【課題を解決するための手段】
【００１２】
上述したような目的を達成するために、本発明の映像表示システムは、映像を表示する映像表示装置と、操作情報を送信することで映像表示装置を遠隔操作するリモコン送信機とを備えた映像表示システムである。さらに、映像表示装置は、ポインタ画像を含むオンスクリーン表示の信号を生成するオンスクリーン生成部と、表示する映像にオンスクリーン表示を合成する映像合成部と、合成した映像を表示する表示部と、リモコン送信機からの操作情報を受信するリモコン受信部と、操作情報に基づきポインタ画像の制御を行う表示制御部とを備えた構成である。さらに、リモコン送信機は、遠隔操作のための操作指示を入力する操作部と、操作指示に応じてポインタ画像の操作情報を生成する操作情報生成部と、操作情報を送信するリモコン送信部とを備え、操作情報が、ポインタ画像の表示位置を操作する操作情報、およびポインタ画像の表示と非表示とを操作する操作情報を含んだ構成である。
【００１３】
このような構成とすることにより、例えば、ポインタ画像を含めたプレゼンテーションのための映像を映像表示装置に表示し、プレゼンテータがリモコン送信機を用いてプレゼンテーションを行うような場合、プレゼンテータは、リモコン送信機を用いて、例えば、次のようにプレゼンテーションを進行することができる。すなわち、プレゼンテータは、リモコン送信機の操作により、ポインタ画像を表示させ、ポインタ画像の表示位置をプレゼンテーション中の内容に応じた文字などに近接させながら説明を進めていく。さらに、プレゼンテータは、例えばプレゼンテーション映像の説明が終了した時点で、ポインタ画像を非表示にさせたり、あるいは、ポインタ画像を最も重要な箇所を指し示すような位置に表示させておく。このように、本発明の映像表示システムは、リモコン送信機を用いて、ポインタ画像の表示位置とともにポインタ画像の表示と非表示との制御が可能であるため、例えば、プレゼンテーションを行うときなど、プレゼンテータであるユーザの意図どおりにポインタ画像を操作することができる。このように、本発明の映像表示システムによれば、利便性を高めた映像表示システムを提供することができる。
【００１４】
さらに、本発明の映像表示システムは、表示制御部が、操作情報に基づきポインタ画像が移動するようにポインタ画像の表示を制御する構成である。
【００１５】
このような構成とすることにより、ユーザは、リモコン送信機の簡易な操作でポインタ画像の位置設定ができ、プレゼンテーションなどにおける利便性をさらに高めることができる。
【００１６】
また、本発明の映像表示システムは、表示制御部が、操作情報に基づきポインタ画像が移動するとともにその移動軌跡を表示するようにポインタ画像の表示を制御する構成である。
【００１７】
このような構成とすることにより、ユーザは、リモコン送信機で位置制御されるポインタ画像を利用して、表示映像上に線を引いたり丸を描いたりすることができ、プレゼンテーションなどにおける利便性をさらに高めることができる。
【００１８】
さらに、本発明の映像表示システムは、表示制御部が、ポインタ画像の属性である表示サイズ、表示輝度および表示透過率の少なくともいずれか１つを変更させるポインタ属性制御手段を有する構成である。
【００１９】
このような構成とすることにより、例えば、映像表示装置の表示サイズや表示する映像の種類などに応じて、見やすいようにポインタ画像の属性を変更できるため、プレゼンテーションなどにおける視認性をも高めることができる。
【００２０】
さらに、本発明の映像表示システムは、操作部が、少なくとも、ポインタ画像の表示位置を操作するポインティングデバイスと、ポインタ画像の表示と非表示とを操作するキーとを備えた構成である。
【００２１】
また、本発明の映像表示システムは、操作情報生成部が、ポインティングデバイスへの操作に応じた速度でポインタ画像の表示位置を移動させる移動操作情報を生成し、表示制御部は、移動操作情報に基づきポインタ画像を移動するようにポインタ画像の表示を制御する構成である。
【００２２】
このような構成とすることにより、ユーザは、リモコン送信機の簡易な操作でスムーズにポインタ画像の位置を移動させることができるとともに、リモコン送信機の簡易な操作でポインタ画像の表示と非表示とを制御できるため、プレゼンテーションなどにおける利便性をさらに高めることができる。
【００２３】
また、本発明の映像表示装置は、リモコン送信機から送出された操作情報を受信し、操作情報に応じた映像を表示する映像表示装置であって、ポインタ画像を含むオンスクリーン表示の信号を生成するオンスクリーン生成部と、表示する映像に前記オンスクリーン表示を合成する映像合成部と、合成した映像を表示する表示部と、リモコン送信機からの操作情報を受信するリモコン受信部と、操作情報に基づきポインタ画像の制御を行う表示制御部とを備える。さらに、表示制御部が、操作情報に応じてポインタ画像の表示位置を変更するとともにポインタ画像の表示と非表示とを制御する構成である。
【００２４】
このような構成とすることにより、本発明の映像表示装置は、リモコン送信機からの操作情報に応じて、ポインタ画像の表示位置とともにポインタ画像の表示と非表示とが制御されるため、例えば、プレゼンテーションを行うときなど、プレゼンテータであるユーザの意図どおりにポインタ画像を操作することができる。このように、本発明の映像表示装置によれば、利便性を高めた映像表示装置を提供することができる。
【００２５】
また、本発明のリモコン送信機は、操作情報を送信することで映像表示装置を遠隔操作するリモコン送信機であって、遠隔操作のための操作指示を入力する操作部と、操作指示に応じてポインタ画像の操作情報を生成する操作情報生成部と、操作情報を送信するリモコン送信部とを備え、操作情報が、ポインタ画像の表示位置を操作する操作情報、およびポインタ画像の表示と非表示とを操作する操作情報を含んだ構成である。
【００２６】
このような構成とすることにより、本発明のリモコン送信機は、映像表示装置に対して、その映像表示画面内に表示されたポインタ画像の表示位置とともにポインタ画像の表示と非表示とを制御できるため、例えば、プレゼンテーションを行うときなど、本発明のリモコン送信機を用いて、プレゼンテータであるユーザの意図どおりにポインタ画像を操作することができる。このように、本発明の映像表示装置によれば、利便性を高めたリモコン送信機を提供することができる。
【発明の効果】
【００２７】
本発明の映像表示システム、映像表示装置およびリモコン送信機によれば、リモコン送信機を用いてポインタ画像の表示位置とともにポインタ画像の表示と非表示との制御が可能であり、また、ポインタ画像の属性を、例えば見やすいように変更できるため、指示ポインタとしてのポインタ画像により指し示しながらプレゼンテーションなどを行う場合、その利便性を高めるとともに、さらにその視認性をも高めた映像表示システム、映像表示装置およびリモコン送信機を提供することができる。
【発明を実施するための最良の形態】
【００２８】
以下、本発明の実施の形態について図面を参照しながら詳細に説明する。
【００２９】
（実施の形態）
図１は、本発明の実施の形態における映像表示システムの構成を示すブロック図である。
【００３０】
図１に示すように、本実施の形態の映像表示システムは、映像を表示する映像表示装置１００と、ユーザによる、例えばキー入力などの情報である操作情報を送信することで映像表示装置１００を遠隔操作するリモコン送信機３００とを備える。
【００３１】
また、映像表示装置１００は、映像入力端子１１に供給された映像信号に対して信号処理を行う映像信号処理部１０と、映像信号処理部１０から出力された映像信号に応じた映像を表示する表示部２０とを備える。本実施の形態では、表示部２０が、例えばプラズマディスプレイパネルや液晶パネルなどで構成されるような一例を挙げて説明する。このような、プラズマディスプレイパネルや液晶パネルなどは、薄型であることが特徴であり、例えば、一般家庭用のテレビジョン受信機の表示部として一般的になりつつあるとともに、パネルの大型化および高輝度化も急速に進みつつある。これに伴って、これら表示パネルは、上述したようなテレビジョン受信機への利用に加えて、例えば、企業などにおけるプレゼンテーションを含めた会議などへの利用も浸透しつつある。すなわち、図１に示すように、プラズマディスプレイパネルなどで構成される表示部２０の映像表示画面２１内に、図１に示すようなポインタ画像２９が表示可能なように映像表示装置１００を構成することにより、プラズマディスプレイ装置などを上述したようなプレゼンテーションにも利用することができる。
【００３２】
本実施の形態の映像表示システムは、プラズマディスプレイ装置など、大画面の映像表示装置１００をプレゼンテーションなどにも容易に利用可能なように構成するため、映像表示装置１００において映像信号処理部１０を図１に示すような構成としている。
【００３３】
すなわち、図１に示すような映像信号処理部１０において、映像入力端子１１には、表示部２０に表示するための映像信号が供給される。映像入力端子１１に供給された映像信号は、映像処理部１２に供給される。映像処理部１２は、供給された映像信号に対して映像のリサイズや多画面処理、および画質補正処理などを行う。また、映像処理部１２に供給された映像信号は、映像処理部１２を介してＡＰＬ検出部１３に供給される。ＡＰＬ検出部１３は、映像信号の平均レベルであるアベレッジピクテャレベル（以下、適宜、ＡＰＬと呼ぶ）を検出し、検出した結果を以下で説明する表示制御部１４に通知する。映像処理部１２で処理された映像信号は、映像合成部１６に供給される。
【００３４】
さらに、本実施の形態における映像信号処理部１０は、映像入力端子１１に供給された映像信号による映像に、文字や記号などのグラフィック画像をオンスクリーン表示する機能を有している。このようなオンスクリーン表示（以下、適宜、ＯＳＤと呼ぶ）を行うため、映像信号処理部１０は、ＯＳＤ画像信号を生成するＯＳＤ生成部１５と、映像処理部１２からの映像信号にＯＳＤ生成部１５で生成したＯＳＤ画像信号を重畳することでＯＳＤを合成した合成映像信号を生成する映像合成部１６と、ＯＳＤなどの表示を制御するための表示制御部１４とを備えている。特に、本実施の形態の映像表示システムでは、ＯＳＤ生成部１５が、映像表示装置１００の、例えば案内用ＯＳＤなどに加えて、ポインタ画像２９の画像信号をも生成し、さらに、表示制御部１４がこのポインタ画像２９の表示に関する制御をも行うことを特徴としている。また、表示制御部１４には、ＡＰＬ検出部１３で検出されたＡＰＬが通知されるとともに、以下で説明する制御部１８から、表示に関する操作情報とともに、映像表示装置１００のサイズに関する情報などが通知される。
【００３５】
また、本実施の形態における映像信号処理部１０は、リモコン送信機３００から送信された操作情報に応じて、映像表示装置１００内の各種処理が実行される機能を有している。このようなリモコン制御機能を実現するため、映像信号処理部１０は、リモコン送信機３００からの操作情報を受信するリモコン受信部１９と、リモコン受信部１９が受信した操作情報に基づき、映像表示装置１００内の各種処理の実行などを制御する制御部１８と、制御部１８が各種制御のために利用する情報を格納したメモリ１７とを備えている。特に、本実施の形態の映像表示システムにおいては、リモコン受信部１９が受信する操作情報に、ポインタ画像２９の表示位置を操作する操作情報、およびポインタ画像２９の表示と非表示とを操作する操作情報が含まれていることを特徴としている。また、メモリ１７には、例えば、映像表示装置１００のサイズに関する情報などが格納されており、制御部１８は、このような情報を表示制御部１４に通知する。
【００３６】
また、本実施の形態では、表示制御部１４が、さらに、ポインタ画像２９の表示サイズ、表示輝度および表示透過率のような、ポインタ画像２９の属性に関する属性情報を記憶しており、表示制御部１４に設けたポインタ属性制御手段（図示せず）の制御により、表示サイズ、表示輝度および表示透過率などの少なくともいずれか１つを変更したポインタ画像２９を表示可能としたような一例を挙げて説明する。
【００３７】
ＡＰＬ検出部１３は、このようなポインタ画像２９における表示輝度の変更制御に利用するため設けている。すなわち、表示制御部１４は、ＡＰＬ検出部１３から通知されたＡＰＬに基づき、ポインタ画像２９の表示輝度を決定する。表示制御部１４は、ＡＰＬのレベルが高いほど表示輝度も高くなるような、ＡＰＬのレベルにしたがった表示輝度情報を生成し、ＯＳＤ生成部１５に通知する。ＯＳＤ生成部１５は、このような表示輝度情報にしたがった表示輝度となるポインタ画像２９の画像信号を生成し、映像合成部１６に供給する。なお、表示制御部１４は、ＡＰＬ検出部１３から通知されたＡＰＬに基づきポインタ画像２９の表示透過率をも変更するような構成であってもよい。すなわち、表示制御部１４は、ＡＰＬ検出部１３から通知されたＡＰＬに基づき、映像合成部１６を制御する。映像合成部１６は、このような制御に応じて、映像処理部１２からの映像信号とＯＳＤ生成部１５からのポインタ画像信号との合成比率を変更し、ポインタ画像２９の表示透過率を変更させる。このような構成とすることにより、入力された映像信号の明るさレベルに応じた輝度や透過率のポインタ画像２９が表示されることとなり、視認性を高めたポインタ画像２９を表示することが可能となる。
【００３８】
また、表示制御部１４は、メモリ１７に記憶された、映像表示装置１００のサイズに関する情報に基づき、ポインタ画像２９の表示サイズを決定する。すなわち、表示制御部１４には、制御部１８を介して映像表示装置１００のサイズに関する情報が通知される。表示制御部１４は、映像表示装置１００のサイズに関する情報に基づき、このサイズが大きいほどポインタ画像２９の表示サイズも大きくなるようなサイズ情報を生成し、ＯＳＤ生成部１５に通知する。ＯＳＤ生成部１５は、このようなサイズ情報にしたがった表示サイズとなるポインタ画像２９の画像信号を生成し、映像合成部１６に供給する。このような構成とすることによっても、映像表示装置１００のサイズに応じた大きさのポインタ画像２９が表示されることとなり、視認性を高めたポインタ画像２９を表示することが可能となる。
【００３９】
映像表示装置１００は、このように、映像信号のＡＰＬに応じてポインタ画像２９の輝度や透過率を変更できるとともに、映像表示装置１００のサイズに応じてポインタ画像２９のサイズも変更できるような構成としているため、ポインタ画像２９の属性を見やすいように変更でき、ポインタ画像２９を利用してプレゼンテーションなどを行う場合、その視認性を高めることができる。
【００４０】
なお、表示制御部１４が、ポインタ画像２９の属性情報として、例えば、矢印、丸あるいはリングなどのポインタ画像とする画像形状をも記憶し、例えば、映像表示装置１００に設けられたユーザ操作部（図示せず）などからの指示によりポインタ画像の形状を設定できるような機能をさらに設けてもよい。また、ポインタ画像２９の表示サイズ、表示輝度および表示透過率などの属性も、映像表示装置１００に設けられたユーザ操作部（図示せず）などからでも操作できるような構成であってもよい。
【００４１】
このように、本実施の形態の映像表示システムにおける映像表示装置１００は、ポインタ画像２９を含むＯＳＤの信号を生成するＯＳＤ生成部１５と、表示する映像にＯＳＤを合成する映像合成部１６と、合成した映像を表示する表示部２０と、リモコン送信機３００からの操作情報を受信するリモコン受信部１９と、操作情報に基づきポインタ画像２９の制御を行う表示制御部１４とを備えた構成である。
【００４２】
なお、映像表示装置１００において、表示部２０と映像信号処理部１０とが同一筐体とするような構成であってもよく、また、映像信号処理部１０を格納する筐体を設け、表示部２０と映像信号処理部１０の筐体とが、例えば接続ケーブルなどで接続されるような構成であってもよく、また、このような構成において、例えばリモコン受信部１９が表示部２０側に設置されるなど、映像信号処理部１０の構成要素の一部が表示部２０側に設けられた構成であってもよい。また、映像信号処理部１０において、テレビジョン放送を受信する受信手段や受信した番組を録画再生するような記録手段をさらに設けた構成であってもよい。
【００４３】
一方、本実施の形態の映像表示システムにおいて、リモコン送信機３００は、映像表示装置１００に対して、ユーザが、例えばキー操作などにより操作指示した操作情報を送信する。このため、リモコン送信機３００は、ユーザが入力操作などを行うため、遠隔操作のための操作指示を入力する操作部３１と、操作部３１への操作指示に応じて表示部２０に表示されたポインタ画像２９の表示位置を操作する操作情報、およびポインタ画像２９の表示と非表示とを操作する操作情報を含む操作情報を生成する操作情報生成部３８と、操作情報を送信するリモコン送信部３９とを備えている。図１では、ユーザがポインタ画像２９の操作指示を行うため、操作部３１には、ポインタ画像２９の表示位置を指定するための圧力センサ３３と、ポインタ画像２９の表示と非表示とを操作するためのキー３２とを備えた一例を示している。なお、リモコン送信機３００は、例えば音量可変キーなど、ポインタ画像２９の操作以外の操作を行うための操作手段を備えていてもよい。
【００４４】
操作部３１において、圧力センサ３３は、ユーザが指定した方向を検出するポインティングデバイスとして設けている。すなわち、例えば、圧力センサ３３は、リング形状の中で押圧された位置やその圧力などを検出し、その検出した結果を操作情報生成部３８に通知する。また、キー３２は、ボタン状のスイッチであり、ユーザが押下すると、押下されたとする情報が操作情報生成部３８に通知される。操作情報生成部３８は、圧力センサ３３からの検出結果に基づき、ポインタ画像２９の表示位置を操作するための操作情報を生成する。また、操作情報生成部３８は、キー３２から通知された情報に基づき、ポインタ画像２９の表示と非表示とを操作するための操作情報を生成する。操作情報生成部３８で生成された操作情報は、リモコン送信部３９から映像表示装置１００のリモコン受信部１９へと送出される。
【００４５】
図２は、リモコン送信機３００の正面からみた外観の一例を示した図である。図２に示すように、ここではリモコン送信機３００が、圧力センサ３３を操作するためのポインティングデバイス３０１と、キー３２としての表示操作キー３０２および軌跡操作キー３０３とをリモコン上に配置した一例を示している。また、これらを操作することで、その操作に応じた操作情報がコード化され、リモコン送信部３９が有する発光ダイオード（以下、ＬＥＤと呼ぶ）３０９から、そのコードで変調された赤外線が送出される。
【００４６】
図２に示すポインティングデバイス３０１は、加圧式のポインティングデバイスであり、円形状の周辺を押圧することで下部に設けた圧力センサ３３が押圧された位置およびその圧力を検出する。このポインティングデバイス３０１は、映像表示画面２１内に表示されたポインタ画像２９の表示位置を操作するために設けており、本実施の形態では、押圧された位置に応じた方向にポインタ画像２９が移動する。すなわち、ポインティングデバイス３０１が押圧されると、圧力センサ３３がその押圧位置を検出し、操作情報生成部３８に通知する。操作情報生成部３８は、通知された押圧位置に対応した操作情報を移動操作情報として生成する。この移動操作情報がコード化されリモコン送信部３９から送出されて、リモコン受信部１９に通知される。さらに、この移動操作情報は、制御部１８に通知される。制御部１８は、この移動操作情報を解析し、表示に関する操作情報であると判定すると、この移動操作情報を表示制御部１４に通知する。表示制御部１４は、このポインティングデバイス３０１への押圧位置に対応した操作情報である移動操作情報に基づき、映像に重畳するポインタ画像２９の重畳位置を変更するようＯＳＤ生成部１５および映像合成部１６を制御する。このようにして、映像表示画面２１内に表示されたポインタ画像２９は、ポインティングデバイス３０１への押圧位置に対応した方向へと移動するようにその表示位置を変更する。例えば、ユーザが、ポインティングデバイス３０１の上方を押圧すると、上述した手順にしたがって、上方が押圧されたとする操作情報が表示制御部１４に通知され、表示制御部１４は、ポインタ画像２９の表示位置が上方へと変更されるようにＯＳＤ生成部１５および映像合成部１６を制御する。また、例えば、ユーザが、ポインティングデバイス３０１の上方を押圧し続けると、表示制御部１４は、ポインタ画像２９の表示位置が上方へと変更し続けるようにＯＳＤ生成部１５および映像合成部１６を制御する。このため、このような場合には、ポインタ画像２９が上方へと移動していく。
【００４７】
このように、リモコン送信機３００から操作情報が送信され、表示制御部１４は、リモコン受信部１９が受信したポインタ画像２９の表示位置を操作する操作情報に基づき、ポインタ画像２９が移動するように、ポインタ画像２９の表示を制御する。
【００４８】
また、本実施の形態では、圧力センサ３３が押圧されたその圧力をも検出し、ポインティングデバイス３０１への押圧に応じた速度でポインタ画像２９が移動するような構成例を挙げて説明する。ポインティングデバイス３０１が押圧されると、圧力センサ３３はその押圧位置とともにその加圧力をも検出し、操作情報生成部３８に通知する。さらに、この加圧力に対応した操作情報も移動操作情報として表示制御部１４に通知される。表示制御部１４は、ポインティングデバイス３０１が押圧された加圧力に応じた位置にポインタ画像２９の表示位置を変更するよう、ＯＳＤ生成部１５および映像合成部１６を制御する。このような構成とすることにより、ユーザが強くポインティングデバイス３０１の所望の位置を押し続けると、ポインタ画像２９は早く映像表示画面２１内を移動するように表示され、また逆に、ユーザが弱くポインティングデバイス３０１の所望の位置を押し続けると、ポインタ画像２９はゆっくりと映像表示画面２１内を移動するように表示される。
【００４９】
このように、操作情報生成部３８は、ポインタ画像２９の表示位置をポインティングデバイス３０１への操作に応じた速度で移動させる操作情報としての移動操作情報を生成し、表示制御部１４は、リモコン受信部１９が受信した移動操作情報に基づき、ポインタ画像２９を移動操作情報に応じた速度で移動させながら表示するように、ポインタ画像２９の表示を制御する。
【００５０】
また、本実施の形態におけるリモコン送信機３００は、上述したようにキー３２としての表示操作キー３０２および軌跡操作キー３０３を有している。表示操作キー３０２は、映像表示画面２１内にポインタ画像２９を表示させるか非表示とさせるかを操作するために設けたキーである。ここでは、表示操作キー３０２を押すごとに、表示と非表示とをトグル式に繰り返すような表示操作キー３０２の例を挙げて説明する。すなわち、表示操作キー３０２が押下されると、キー３２がその押下を検出し、表示指示とするような検出情報を操作情報生成部３８に通知する。操作情報生成部３８は、表示指示とする検出情報に対応した操作情報を生成する。この操作情報がコード化されリモコン送信部３９から送出されて、リモコン受信部１９に通知される。さらに、この操作情報は、制御部１８に通知される。制御部１８は、この操作情報を解析し、表示に関する操作情報であると判定すると、この操作情報を表示制御部１４に通知する。表示制御部１４は、この表示指示とする操作情報に基づき、映像にポインタ画像２９を重畳して表示するようＯＳＤ生成部１５および映像合成部１６を制御する。さらに、もう一度、表示操作キー３０２が押下されると、キー３２はその押下を検出し、今度は、非表示指示とするような検出情報を操作情報生成部３８に通知する。このような操作情報が表示制御部１４に通知され、表示制御部１４は、この非表示指示とする操作情報に基づき、映像にポインタ画像２９を重畳して表示しないようＯＳＤ生成部１５および映像合成部１６を制御する。このように、本実施の形態の映像表示システムでは、例えば、プレゼンテータであるようなユーザが、リモコン送信機３００からポインタ画像２９を移動させるとともに、容易にポインタ画像２９の表示と非表示との切替えができる構成としている。このため、プレゼンテーションを行う場合などにおいて、プレゼンテータであるユーザは、そのユーザの意思どおりにポインタ画像の移動や表示と非表示との切替えを行いながらプレゼンテーションを進めることができる。
【００５１】
また、本実施の形態では、リモコン送信機３００がさらに軌跡操作キー３０３を有している。軌跡操作キー３０３は、ポインタ画像２９の移動とともにその移動軌跡を表示させるよう操作するために設けたキーである。本実施の形態では、この軌跡操作キー３０３を上述したポインティングデバイス３０１と組み合わせて利用するような一例を挙げて説明する。すなわち、ユーザが軌跡操作キー３０３を押下しＯＮ状態にすると軌跡表示モードが設定され、押下しＯＦＦ状態にすると軌跡解除モードが設定される。このような軌跡操作キー３０３の状態は、操作情報生成部３８に通知される。操作情報生成部３８は、軌跡操作キー３０３が押下されると、軌跡操作キー３０３の状態に対応した操作情報を生成する。この操作情報がコード化されリモコン送信部３９から送出されて、リモコン受信部１９に通知される。さらに、この操作情報は、制御部１８に通知される。制御部１８は、この操作情報を解析し、表示に関する操作情報であると判定すると、この操作情報を表示制御部１４に通知する。表示制御部１４は、通知されたこの軌跡に関する操作情報を記憶し、軌跡表示モードであるか、軌跡解除モードであるかが設定される。表示制御部１４は、ポインタ画像２９の位置変更や移動をさせる場合、このような軌跡表示モードか軌跡解除モードかに応じた表示制御を行う。軌跡解除モードであるとき、表示制御部１４の制御により、ポインティングデバイス３０１への押圧位置に対応した方向へとポインタ画像２９が移動するように、その表示位置が変更される。一方、軌跡表示モードであるとき、表示制御部１４の制御により、ポインティングデバイス３０１への押圧位置に対応した方向へとポインタ画像２９が移動するとともに、その移動する軌跡も表示していくようなＯＳＤ画像が表示される。このようにして、例えば、軌跡解除モードが設定された状態で、ユーザがポインティングデバイス３０１の操作を行うと、上述したようにポインタ画像２９はその操作に応じて位置を変更したり移動したりする。一方、例えば、軌跡表示モードが設定された状態で、ユーザがポインティングデバイス３０１の操作を行うと、ポインタ画像２９の移動とともに、その移動した軌跡も表示される。このような構成をも設けることにより、例えば、プレゼンテーションを行う場合などにおいて、プレゼンテータであるユーザは、リモコン送信機３００によるポインタ画像２９の操作で、例えば、注目させたい箇所に、ポインタ画像２９の軌跡画像で線を引いたり、あるいは丸を描いたりすることができ、本実施の形態の映像表示システムをプレゼンテーションに利用した場合の利便性を高めることができる。なお、例えば、軌跡表示モードにおいて、例えば、矢印画像の先端部分とするような、ポインタ画像２９の画像の一部分の軌跡を表示するような構成であってもよい。これにより、軌跡画像による本文映像の隠蔽などを抑制することができる。
【００５２】
このように、リモコン送信機３００から操作情報が送信され、表示制御部１４は、リモコン受信部１９が受信したポインタ画像２９の表示位置を操作する操作情報に基づき、ポインタ画像２９が移動するとともにその移動軌跡を表示するように、ポインタ画像２９の表示を制御する。
【００５３】
また、以上説明したように、リモコン送信機３００の操作部３１は、少なくとも、ポインタ画像２９の表示位置を操作指示するポインティングデバイス３０１と、ポインタ画像２９の表示と非表示とを操作指示するキーである表示操作キー３０２とを備えている。
【００５４】
以上、本実施の形態の映像表示システムは、上述したような構成としているため、例えば、企業での会議などにおいてプレゼンテーションを行う場合、プレゼンテータは、手に持ったリモコン送信機３００を操作しながら、表示部２０の映像表示画面２１内に表示されたプレゼンテーションのための映像をポインタ画像２９で指し示したりしながらプレゼンテーションを進行できる。
【００５５】
図３は、以上のように構成された本映像表示システムを、プレゼンテーションに利用した場合の一例を示した図である。図３では、プラズマディスプレイ装置などの映像表示装置１００に、例えばパーソナルコンピュータ（ＰＣ）などで作成されたプレゼンテーション用の映像２０１および映像２０２を表示し、リモコン送信機３００を手に持ったプレゼンテータ９０が、リモコン送信機３００の操作で映像表示画面２１内のポインタ画像２９の位置操作などを行いながらプレゼンテーションを進行させるような例を示している。
【００５６】
また、図４は、映像表示画面２１に表示するポインタ画像２９の操作例を示した図である。図４（ａ）は、リモコン送信機３００の表示操作キー３０２により表示操作を行った場合、図４（ｂ）は、表示操作キー３０２により非表示操作を行った場合、図４（ｃ）は、ポインティングデバイス３０１により移動操作を行った場合、また、図４（ｄ）は、軌跡操作キー３０３により軌跡表示モードに設定し、ポインティングデバイス３０１により移動操作を行った場合の表示例を示している。
【００５７】
以下、図１から図４までを参照しながら、本実施の形態の映像表示システムの動作について、プレゼンテーションに利用した場合の例を挙げながら説明する。
【００５８】
まず、図３に示すように、プレゼンテータ９０が、例えば、リモコン送信機３００の表示操作キー３０２を押下すると、その表示操作に関する操作情報を重畳した赤外線がＬＥＤ３０９から送出される。この赤外線は、映像表示装置１００のリモコン受信部１９に設けた受光部１９０で受信され、その操作情報が表示制御部１４へと通知される。これにより、表示制御部１４はポインタ画像２９を表示あるいは非表示に変更するようＯＳＤ生成部１５および映像合成部１６を制御する。このような動作により、表示操作キー３０２を押下する前はポインタ画像２９が非表示であった場合には、図４（ａ）に示すように、ポインタ画像２９が映像表示画面２１内に表示される。また逆に、押下する前はポインタ画像２９が表示されていた場合には、図４（ｂ）に示すように、ポインタ画像２９が非表示、すなわち消去される。
【００５９】
このように、本実施の形態の映像表示システムでは、ＰＣで利用されるカーソルなどと異なり、ユーザの意思に応じてポインタ画像２９を表示したり非表示にしたりすることができ、特に、このような表示と非表示との切替えをリモコン送信機３００からの簡易な操作で行うことができる。このため、例えば、図４（ａ）に示すようにポインタ画像２９がプレゼンテーションのための映像を隠蔽する場合であっても、容易に図４（ｂ）に示すように非表示へと切り替えることができる。すなわち、ポインタ画像２９を、例えばブランクの箇所や映像表示画面２１の周辺枠近辺まで移動させるような手間は必要なく、プレゼンテータは、本人の意図どおりにポインタ画像２９を表示したり、非表示にしたり、あるいは次に説明するように移動させたりしながらプレゼンテーションを進めていくことができる。また、プレゼンテータは、ポインタ画像２９で指示した箇所の説明が終了するとともに、ポインタ画像２９を消すことができるため、プレゼンテーション中の発言内容と異なった内容箇所をポインタ画像２９が指し示すような不都合を防止でき、視聴者に誤解や混乱を与えるなどの不都合も防止できる。
【００６０】
なお、表示と非表示とを操作するような機能に加えて、さらに利便性を高めるために、例えば、マルチ表示キーのようなキーをさらに設け、ユーザがポインタ画像２９を移動させ、このようなマルチ表示キーを押下するたびに、ポインタ画像２９を順次その位置に表示させるように、複数のポインタ画像２９を表示させるような機能をさらに設けてもよい。
【００６１】
また、次に、プレゼンテータ９０が、リモコン送信機３００のポインティングデバイス３０１の所望の位置を押圧すると、その位置や圧力に対応した位置操作情報を重畳した赤外線がＬＥＤ３０９から送出される。この赤外線は、映像表示装置１００のリモコン受信部１９に設けた受光部１９０で受信され、位置操作情報が表示制御部１４へと通知される。これにより、表示制御部１４は、ポインタ画像２９の表示位置を変更するようＯＳＤ生成部１５および映像合成部１６を制御する。このような動作により、例えば、プレゼンテータ９０がポインティングデバイス３０１の所望の位置を押圧し続けると、図４（ｃ）に示すように、その押圧位置に対応した方向にその加圧力に応じた速度で、ポインタ画像２９が移動する。
【００６２】
また、次に、プレゼンテータ９０が、リモコン送信機３００の軌跡操作キー３０３を押下して軌跡表示モードに設定し、さらに、リモコン送信機３００のポインティングデバイス３０１の所望の位置を押圧すると、その位置や圧力に対応した位置操作情報を重畳した赤外線がＬＥＤ３０９から送出され、位置操作情報が表示制御部１４へと通知される。このとき、表示制御部１４は、軌跡表示モードであることを記憶しており、軌跡表示モードにしたがってポインタ画像２９の表示位置を変更するようＯＳＤ生成部１５および映像合成部１６を制御する。このような動作により、例えば、プレゼンテータ９０がポインティングデバイス３０１の所望の位置を押圧し続けると、図４（ｄ）に示すように、その押圧位置に対応した方向にその加圧力に応じた速度で、ポインタ画像２９が移動するとともに、その移動軌跡のＯＳＤ画像２０３が表示される。なお、図４（ｄ）では、矢印形状をしたポインタ画像２９の先端部の移動軌跡がＯＳＤ画像２０３として表示された一例を示している。軌跡表示モードでは、このような移動軌跡のＯＳＤ画像２０３を表示できるため、図４（ｄ）で示すように、ＯＳＤ画像２０３を線として描くような表示を行うことができる。なお、ＯＳＤ画像２０３の非表示制御の方法として、例えば、表示操作キー３０２を押下に応じて、ポインタ画像２９および移動軌跡のＯＳＤ画像２０３のそれぞれが表示と非表示とを繰り返すように制御するとともに、軌跡操作キー３０３により軌跡解除モードとすることにより、ＯＳＤ画像２０３の表示が完全に消去されるように制御するなどの構成が可能である。また、さらに、軌跡制御のためのキーを設け、複数の移動軌跡のＯＳＤ画像を表示できるような構成であってもよい。
【００６３】
以上説明したように、本発明の映像表示システムは、映像表示装置１００が、ポインタ画像２９を含むＯＳＤの信号を生成するＯＳＤ生成部１５と、表示する映像にＯＳＤを合成する映像合成部１６と、合成した映像を表示する表示部２０と、リモコン送信機３００からの操作情報を受信するリモコン受信部１９と、操作情報に基づきポインタ画像２９の制御を行う表示制御部１４とを備え、また、リモコン送信機３００が、遠隔操作のための操作指示を入力する操作部３１と、操作指示に応じてポインタ画像２９の表示位置を操作する操作情報、およびポインタ画像２９の表示と非表示とを操作する操作情報を含む操作情報を生成する操作情報生成部３８と、操作情報を送信するリモコン送信部３９とを備えた構成としている。本発明の映像表示システムは、このような構成としているため、プレゼンテータがリモコン送信機３００を用いてプレゼンテーションを行うような場合、プレゼンテータは、リモコン送信機３００を用いて、ポインタ画像２９の表示位置や移動とともにポインタ画像２９の表示と非表示との制御が可能であり、さらに、ポインタ画像２９の移動軌跡などの表示も可能である。このため、本発明の映像表示システムを利用すれば、プレゼンテータであるユーザの意図どおりにポインタ画像２９を操作することができ、本発明の映像表示システムによれば、プレゼンテーションなどにおける利便性を高めた映像表示システムを提供することができる。
【００６４】
さらに、本発明の映像表示システムは、表示制御部１４が、ポインタ画像の属性である表示サイズ、表示輝度および表示透過率の少なくともいずれか１つを変更させるポインタ属性制御手段を有する構成であるため、映像表示装置１００の表示サイズや表示する映像の種類などに応じて、見やすいようにポインタ画像の属性を変更でき、このためプレゼンテーションなどにおける視認性をも高めた映像表示システムを提供することができる。
【産業上の利用可能性】
【００６５】
本発明は、例えば、プラズマディスプレイパネルや液晶パネルなどを用いた映像表示装置などに利用することが可能である。
【図面の簡単な説明】
【００６６】
【図１】本発明の実施の形態における映像表示システムの構成を示すブロック図
【図２】同、リモコン送信機の正面からみた外観の一例を示した図
【図３】同、プレゼンテーションに利用した場合の一例を示した図
【図４】同、ポインタ画像の操作例を示した図
【符号の説明】
【００６７】
１０    映像信号処理部
１１    映像入力端子
１２    映像処理部
１３    ＡＰＬ検出部
１４    表示制御部
１５    ＯＳＤ生成部（オンスクリーン生成部）
１６    映像合成部
１７    メモリ
１８    制御部
１９    リモコン受信部
２０    表示部
２１    映像表示画面
２９    ポインタ画像
３１    操作部
３２    キー
３３    圧力センサ
３８    操作情報生成部
３９    リモコン送信部
９０    プレゼンテータ
１００    映像表示装置
１９０    受光部
２０３    ＯＳＤ画像
３００    リモコン送信機
３０１    ポインティングデバイス
３０２    表示操作キー
３０３    軌跡操作キー
３０９    発光ダイオード（ＬＥＤ）
【図１】
2008020775.tif 000003
【図２】
2008020775.tif 000004
【図３】
2008020775.tif 000005
【図４】
2008020775.tif 000006